(57)【要約】【課題】不意の外力がカバー部材に作用した場合のカバー部材の脱落を防止でき、しかも、カバー部材を支持部材本体に対して容易に脱着することのできる椅子の荷重支持部材、及び、荷重支持部材の組立方法を提供する。【解決手段】カバー部材６０に、荷重受け板の前面を被覆する略矩形状の主カバー部と、主カバー部の左右の側辺に延設される一対の側縁被覆部６０ｂと、主カバー部の下辺と上辺に設けられる第１の端縁係止部６０ｃ、及び、第２の端縁係止部６０ｄと、を設ける。荷重受け板と強度部材の間に一対の係止溝６１を設ける。係止溝６１の長手方向の一方の端部に挿入開口６２を設ける。カバー部材６０は、側縁被覆部６０ｂを挿入開口６２を通して係止溝６１内に嵌入するとともに、第１の端縁係止部６０ｃと第２の端縁係止部６０ｄを、荷重受け板の上辺と下辺でそれぞれ折り返して係止する。【選択図】図１９
2015217050.tif 000002
【特許請求の範囲】
【請求項１】
着座者の荷重を支持する略矩形状部を有する支持部材本体と、
前記支持部材本体の略矩形状部を被覆するカバー部材と、を備える椅子の荷重支持部材において、
前記カバー部材は、
前記支持部材本体の略矩形状部の前面を被覆する略矩形状の主カバー部と、
前記支持部材本体の略矩形状部の一方の対辺に対応する前記主カバー部の辺に延設される一対の側縁被覆部と、
前記支持部材本体の略矩形状部の他方の対辺のうちの一辺に対応する前記主カバー部の辺に設けられる第１の端縁係止部と、
前記支持部材本体の略矩形状部の他方の対辺のうちの他辺に対応する前記主カバー部の辺に設けられる第２の端縁係止部と、を有し、
前記支持部材本体には、前記カバー部材の前記一対の側縁被覆部に対応する一対の係止溝が設けられ、
前記一対の係止溝の各長手方向の一方の端部には、挿入開口が設けられ、
前記カバー部材は、前記一対の側縁被覆部が前記挿入開口を通して前記一対の係止溝内に嵌入されるとともに、前記第１の端縁係止部と前記第２の端縁係止部が、前記支持部材本体の略矩形状部の前記他方の対辺でそれぞれ折り返されて係止されていることを特徴とする椅子の荷重支持部材。
【請求項２】
前記支持部材本体は、
着座者の荷重を受ける前記略矩形状部である荷重受け板と、
着座者の荷重を支持する強度を有し、前記荷重受け板を支持する強度部材と、を有し、
前記一対の係止溝は、前記荷重受け板の対辺と前記強度部材の対向面の間に形成されていることを特徴とする請求項１に記載の椅子の荷重支持部材。
【請求項３】
前記係止溝は、狭幅部と、当該狭幅部よりも溝底部側に位置されて、前記狭幅部よりも幅広に形成された拡幅部と、を有し、
前記カバー部材の前記側縁被覆部には、前記係止溝の前記狭幅部よりも幅方向の厚みが厚く前記拡幅部内に嵌入される抜け規制部が設けられていることを特徴とする請求項１または２に記載の椅子の荷重支持部材。
【請求項４】
前記第１の端縁係止部と前記第２の端縁係止部のうちの一方は、前記主カバー部の裏面側で袋状をなすように当該主カバー部に予め固定されていることを特徴とする請求項１〜３のいずれか１項に記載の椅子の荷重支持部材。
【請求項５】
前記カバー部材を前記支持部材本体の略矩形状部に装着する前の状態における前記第１の端縁係止部と前記第２の端縁係止部の係止部間長さは、前記支持部材本体の略矩形状部の前記他方の対辺間の長さよりも短く設定されていることを特徴とする請求項４に記載の椅子の荷重支持部材。
【請求項６】
着座者の荷重を支持する略矩形状部を有する支持部材本体と、
前記支持部材本体の略矩形状部を被覆するカバー部材と、を備える椅子の荷重支持部材を組み立てる方法において、
前記カバー部材には、
前記支持部材本体の略矩形状部の前面を被覆する略矩形状の主カバー部と、
前記支持部材本体の略矩形状部の一方の対辺に対応する前記主カバー部の辺に延設される一対の側縁被覆部と、
前記支持部材本体の略矩形状部の他方の対辺のうちの一辺に対応する前記主カバー部の辺に設けられる第１の端縁係止部と、
前記支持部材本体の略矩形状部の他方の対辺のうちの他辺に対応する前記主カバー部の辺に設けられる第２の端縁係止部と、を設け、
前記支持部材本体に、前記カバー部材の前記一対の側縁係止部に対応し、かつ長手方向の一方の端部に挿入開口を有する一対の係止溝を形成し、
前記カバー部材の前記一対の側縁被覆部を、前記挿入開口を通して対応する前記係止溝内にスライドさせて嵌入し、
前記カバー部材の前記第１の端縁係止部と前記第２の端縁係止部とを、折り返した状態で前記支持部材本体の略矩形状部の前記他方の対辺にそれぞれ係止させることを特徴とする荷重支持部材の組立方法。
【請求項７】
前記第１の端縁係止部と前記第２の端縁係止部のうちの一方を、前記主カバー部の裏面側で袋状をなすように当該主カバー部に予め固定し、
前記カバー部材を前記支持部材本体の略矩形状部に装着する前の状態における前記第１の端縁係止部と前記第２の端縁係止部の係止部間長さを、前記支持部材本体の略矩形状部の前記他方の対辺間の長さよりも短く設定しておき、
前記カバー部材の前記一対の側縁被覆部を、前記挿入開口を通して対応する前記係止溝内にスライドさせて嵌入する際に、前記カバー部材を、前記一対の側縁被覆部と前記係止溝との規定の嵌合位置よりもオーバーストロークさせて、前記第１の端縁係止部と前記第２の端縁係止部のうちの一方の袋状部分を、前記支持部材本体の略矩形状部の前記他方の対辺の一方に対向させ、
その後に、前記カバー部材を、前記一対の側縁被覆部と前記係止溝との規定の嵌合位置までスライドさせて戻すことにより、前記カバー部材の前記袋状部分を、前記支持部材本体の略矩形状部の前記他方の対辺の一方に係止させ、
さらにその後に、前記カバー部材の前記主カバー部を引き延ばして、前記第１の端縁係止部と前記第２の端縁係止部のうちの他方を、前記支持部材本体の略矩形状部の前記他方の対辺の他方に折り返して係止させることを特徴とする請求項６に記載の椅子の荷重支持部材の組立方法。
【発明の詳細な説明】
【技術分野】
【０００１】
この発明は、椅子の背凭れや座等の荷重支持部材、及び、荷重支持部材の組立方法に関するものである。
【背景技術】
【０００２】
事務用等として用いられる椅子は、脚柱の上部に支基が連結され、その支基に着座者の臀部を支持する座と、着座者の背部を支持する背凭れと、が取り付けられている。この種の椅子の荷重支持部材である背凭れや座は、フレーム枠等の強度部材と、強度部材に支持されて荷重を受ける荷重受け板と、荷重受け板を被覆するカバー部材と、を備えている（特許文献１〜３参照）。
【０００３】
特許文献１に記載の椅子の背凭れは、カバー部材の上下に袋状部が設けられ、上下の袋状部をそれぞれ荷重受け板の上縁部と下縁部とに被せることにより、カバー部材が荷重受け板に取り付けられている。
【０００４】
特許文献２に記載の椅子の背凭れは、カバー部材の側縁部の複数箇所が、ボスと貫通孔との嵌合によって荷重受け板に係止され、その状態において、カバー部材の側縁部が荷重受け板と強度部材の接合部間に挟み込まれている。
【０００５】
特許文献３に記載の椅子の背凭れは、カバー部材の外周域に袋状部が設けられ、その袋状部が荷重受け板の外周縁部に被せられている。カバー部材の袋状部には、ゴム状弾性部材が内蔵され、そのゴム状弾性部材の弾性によってカバー部材の外周縁部が荷重受け板に押し付けられている。
【先行技術文献】
【特許文献】
【０００６】
【特許文献１】特許第５０７９３０８号公報
【特許文献２】特開２０１１−０９２５４４号公報
【特許文献３】特開２０１４−０１８６００号公報
【発明の概要】
【発明が解決しようとする課題】
【０００７】
しかしながら、特許文献１に記載される椅子の背凭れは、カバー部材の上下の袋状部を荷重受け板の上縁部と下縁部とに被せることによってカバー部材を荷重受け板に容易に取り付けることができるものの、その反面、カバー部材の取り付け後に不意の外力がカバー部材に作用したときには、カバー部材が荷重受け板から脱落し易くなる。
【０００８】
また、特許文献２に記載の椅子の背凭れは、カバー部材の側縁部の複数箇所がボスと嵌合孔との嵌合と、荷重受け板と強度部材による挟み込みによってカバー部材が荷重受け板に係止されているため、カバー部材の取り付け後に不意の外力がカバー部材に作用しても、カバー部材が脱落するようなことはなくなるものの、カバー部材の交換時等に荷重受け板に対するカバー部材の脱着が難しくなる。
【０００９】
また、特許文献３に記載の椅子の背凭れは、カバー部材の外周縁部が袋状部に内蔵されたゴム状弾性部材の弾性によって荷重受け板に押し付けられているため、ゴム状弾性部材の剛性高めることにより、カバー部材の取り付け後に不意の外力がカバー部材に作用した場合にもカバー部材の脱落を防止することができる。しかし、この椅子の背凭れの場合、カバー部材の取り付け時や取り外し時には、ゴム状弾性部材の弾発力に抗してカバー部材の取り付けや取り外しを行わなければならないため、ゴム状弾性部材の剛性を高めると荷重受け板に対するカバー部材の脱着が難しくなる。
【００１０】
そこでこの発明は、不意の外力がカバー部材に作用した場合のカバー部材の脱落を防止でき、しかも、カバー部材を支持部材本体に対して容易に脱着することのできる椅子の荷重支持部材、及び、荷重支持部材の組立方法を提供しようとするものである。
【課題を解決するための手段】
【００１１】
この発明に係る椅子の荷重支持部材は、上記課題を解決するために、着座者の荷重を支持する略矩形状部を有する支持部材本体と、前記支持部材本体の略矩形状部を被覆するカバー部材と、を備える椅子の荷重支持部材において、前記カバー部材は、前記支持部材本体の略矩形状部の前面を被覆する略矩形状の主カバー部と、前記支持部材本体の略矩形状部の一方の対辺に対応する前記主カバー部の辺に延設される一対の側縁被覆部と、前記支持部材本体の略矩形状部の他方の対辺のうちの一辺に対応する前記主カバー部の辺に設けられる第１の端縁係止部と、前記支持部材本体の略矩形状部の他方の対辺のうちの他辺に対応する前記主カバー部の辺に設けられる第２の端縁係止部と、を有し、前記支持部材本体には、前記カバー部材の前記一対の側縁被覆部に対応する一対の係止溝が設けられ、前記一対の係止溝の各長手方向の一方の端部には、挿入開口が設けられ、前記カバー部材は、前記一対の側縁被覆部が前記挿入開口を通して前記一対の係止溝内に嵌入されるとともに、前記第１の端縁係止部と前記第２の端縁係止部が、前記支持部材本体の略矩形状部の前記他方の対辺でそれぞれ折り返されて係止されるようにした。
【００１２】
これにより、カバー部材は、主カバー部が支持部材本体の略矩形状部の前面を被覆した状態において、一対の側縁被覆部が支持部材本体の係止溝内に嵌入され、第１の端縁係止部と第２の端縁係止部が支持部材本体の略矩形状部の他方の対辺に折り返した状態で係止される。カバー部材は、一対の側縁被覆部が係止溝内に嵌入されることにより、側縁方向の位置ずれや脱落が防止され、第１の端縁係止部と第２の端縁係止部がそれぞれ折り返された状態で支持部材本体の略矩形状部の他方の対辺に係止されることにより、係止溝に沿う方向の位置ずれが規制される。また、カバー部材は、第１の端縁係止部と第２の端縁係止部がそれぞれ折り返された状態で支持部材本体の略矩形状部の他方の対辺に係止されることから、係止溝に沿った位置ずれやそれに伴う脱落が生じにくくなるが、仮に、係止溝に沿ってカバー部材が移動することがあっても、一対の側縁係止部が係止溝内に嵌入されているため、カバー部材全体が即時に脱落するのを回避することができる。
また、カバー部材を支持部材本体の略矩形状部に取り付ける場合には、カバー部材の一対の側縁被覆部を、挿入開口を通して支持部材本体の係止溝内にスライドさせて嵌入し、その後に第１の端縁係止部と第２の端縁係止部を支持部材本体の略矩形状部の他方の対辺に係止させることができる。一方、カバー部材を支持部材本体の略矩形状部から取り外す場合には、支持部材本体の略矩形状部の他方の対辺に対する第１の端縁係止部と第２の端縁係止部の係止を外し、その後に一対の側縁被覆部を、支持部材本体の係止溝内からスライドさせて引き抜くことができる。
【００１３】
前記支持部材本体は、着座者の荷重を受ける前記略矩形状部である荷重受け板と、着座者の荷重を支持する強度を有し、前記荷重受け板を支持する強度部材と、を有し、前記一対の係止溝は、前記荷重受け板の対辺と前記強度部材との対向面の間に形成されるようにしても良い。
この場合、係止溝が荷重受け板と強度部材の対向面の間に形成されているため、係止溝を荷重受け板や強度部材に単独で形成する場合に比較して、荷重受け板や強度部材の構造を簡素化することができる。このため、この構造を採用することにより、製造コストの削減を図ることができる。
【００１４】
前記係止溝は、狭幅部と、当該狭幅部よりも溝底部側に位置されて、前記狭幅部よりも幅広に形成された拡幅部と、を有し、前記カバー部材の前記側縁被覆部には、前記係止溝の前記狭幅部よりも幅方向の厚みが厚く前記拡幅部内に嵌入される抜け規制部が設けられるようにしても良い。
この場合、カバー部材の側縁被覆部が係止溝内に嵌入されると、係止溝の狭幅部よりも幅方向の厚みの厚い側縁被覆部の抜け規制部が係止溝の拡幅部内に配置されることになる。この結果、カバー部材の側縁被覆部の係止溝からの脱落が防止されるとともに、側縁被覆部が安定姿勢に維持され易くなる。また、カバー部材の側縁被覆部を係止溝内にスライドさせて嵌入する際には、幅方向の厚みの厚い抜け規制部によって側縁被覆部の形状が安定するうえに、抜け規制部がガイドとして機能するため、係止溝に対する側縁被覆部の嵌入作業を容易に行うことができる。
【００１５】
前記第１の端縁係止部と前記第２の端縁係止部のうちの一方は、前記主カバー部の裏面側で袋状をなすように当該主カバー部に予め固定されるようにしても良い。
この場合、第１の端縁係止部と第２の端縁係止部のうちの一方の袋状部分を、先に支持部材本体の略矩形状部の他方の対辺のうちの一辺に係止させておき、その後に第１の端縁係止部と第２の端縁係止部のうちの他方を折り返して支持部材本体の略矩形状部の他方の対辺のうちの他辺に係止させることができる。したがって、この構造を採用することにより、カバー部材を支持部材本体の略矩形状部に容易に取り付けることができる。
【００１６】
前記カバー部材を前記支持部材本体の略矩形状部に装着する前の状態における前記第１の端縁係止部と前記第２の端縁係止部の係止部間長さは、前記支持部材本体の略矩形状部の前記他方の対辺間の長さよりも短く設定されることが好ましい。
この場合、第１の端縁係止部と第２の端縁係止部のうちの一方の袋状部分を、先に支持部材本体の略矩形状部の他方の対辺のうちの一辺に係止させ、その後に第１の端縁係止部と第２の端縁係止部のうちの他方を支持部材本体の略矩形状部の他方の対辺のうちの他辺に係止させるときに、カバー部材を引き延ばしてカバー部材に張力を付与することができる。これにより、カバー部材が取り付け状態で安定形状に維持されるとともに、支持部材本体の略矩形状部に対するカバー部材の位置ずれも防止されるようになる。
【００１７】
この発明に係る荷重支持部材の組立方法は、着座者の荷重を支持する略矩形状部を有する支持部材本体と、前記支持部材本体の略矩形状部を被覆するカバー部材と、を備える椅子の荷重支持部材を組み立てる方法において、前記カバー部材には、前記支持部材本体の略矩形状部の前面を被覆する略矩形状の主カバー部と、前記支持部材本体の略矩形状部の一方の対辺に対応する前記主カバー部の辺に延設される一対の側縁被覆部と、前記支持部材本体の略矩形状部の他方の対辺のうちの一辺に対応する前記主カバー部の辺に設けられる第１の端縁係止部と、前記支持部材本体の略矩形状部の他方の対辺のうちの他辺に対応する前記主カバー部の辺に設けられる第２の端縁係止部と、を設け、前記支持部材本体に、前記カバー部材の前記一対の側縁係止部に対応し、かつ長手方向の一方の端部に挿入開口を有する一対の係止溝を形成し、前記カバー部材の前記一対の側縁被覆部を、前記挿入開口を通して対応する前記係止溝内にスライドさせて嵌入し、前記カバー部材の前記第１の端縁係止部と前記第２の端縁係止部とを、折り返した状態で前記支持部材本体の略矩形状部の前記他方の対辺にそれぞれ係止させるようにした。
この荷重支持部材の組立方法を採用することにより、支持部材本体に対するカバー部材の安定的な係止を実現しつつも、カバー部材を支持部材本体に容易に取り付けることができる。
【００１８】
前記第１の端縁係止部と前記第２の端縁係止部のうちの一方を、前記主カバー部の裏面側で袋状をなすように当該主カバー部に予め固定し、前記カバー部材を前記支持部材本体の略矩形状部に装着する前の状態における前記第１の端縁係止部と前記第２の端縁係止部の係止部間長さを、前記支持部材本体の略矩形状部の前記他方の対辺間の長さよりも短く設定しておき、前記カバー部材の前記一対の側縁被覆部を、前記挿入開口を通して対応する前記係止溝内にスライドさせて嵌入する際に、前記カバー部材を、前記一対の側縁被覆部と前記係止溝との規定の嵌合位置よりもオーバーストロークさせて、前記第１の端縁係止部と前記第２の端縁係止部のうちの一方の袋状部分を、前記支持部材本体の略矩形状部の前記他方の対辺の一方に対向させ、その後に、前記カバー部材を、前記一対の側縁被覆部と前記係止溝との規定の嵌合位置までスライドさせて戻すことにより、前記カバー部材の前記袋状部分を、前記支持部材本体の略矩形状部の前記他方の対辺の一方に係止させ、さらにその後に、前記カバー部材の前記主カバー部を引き延ばして、前記第１の端縁係止部と前記第２の端縁係止部のうちの他方を、前記支持部材本体の略矩形状部の前記他方の対辺の他方に折り返して係止させるようにしても良い。
この荷重支持部材の組立方法を採用することにより、カバー部材を支持部材本体により容易に取り付けることができる。
【発明の効果】
【００１９】
この発明によれば、カバー部材の一対の側縁被覆部が支持部材本体の係止溝内に嵌入された状態で、そのカバー部材の第１の端縁係止部と第２の端縁係止部が支持部材本体の略矩形状部の他方の対辺に折り返した状態で係止されるため、支持部材本体の略矩形状部にカバー部材が取り付けられた状態において、当該カバー部材に不意の外力が作用しても、カバー部材の脱落を確実に防止することができる。
さらに、この発明によれば、支持部材本体の係止溝に対して、一端の挿入開口を通してカバー部材の側縁被覆部を嵌入したり、一端の挿入開口を通して係止溝内からカバー部材の側縁被覆部を引き抜いたりすることができるため、カバー部材を支持部材本体の略矩形状部に対して容易に脱着することができる。
【図面の簡単な説明】
【００２０】
【図１】この発明の一実施形態に係る椅子の右側面図である。
【図２】この発明の一実施形態に係る椅子の背面図である。
【図３】この発明の一実施形態に係る椅子の図２のＩＩＩ−ＩＩＩ断面に対応する断面図である。
【図４】この発明の一実施形態に係る椅子の図３のＩＶ部の拡大図である。
【図５】この発明の一実施形態に係る椅子の図３のＶ−Ｖ断面に対応する断面図である。
【図６】この発明の一実施形態に係る椅子の図３のＶＩ−ＶＩ断面に対応する断面図である。
【図７】この発明の一実施形態に係る椅子の図３のＶＩＩ−ＶＩＩ断面に対応する断面図である。
【図８】この発明の一実施形態の背凭れと背凭れ連結部材を連結した状態で前部下方側から見た斜視図である。
【図９】この発明の一実施形態の背凭れフレームを背凭れ連結部材と連結した状態で前部下方側から見た斜視図である。
【図１０】この発明の一実施形態の背板を後部下方側から見た斜視図である。
【図１１】この発明の一実施形態に係る椅子の背凭れと背凭れ連結部材を連結して後部上方側から見た斜視図である。
【図１２】この発明の一実施形態に係る椅子の背板の右側面図である。
【図１３】この発明の一実施形態に係る椅子の背凭れフレームの正面図である。
【図１４】この発明の一実施形態に係る背凭れの図５のＸＩＶ部の拡大図である。
【図１５】この発明の一実施形態に係る背凭れの組立方法を説明するための椅子の斜視図である。
【図１６】この発明の一実施形態に係る背凭れの組立方法を説明するための椅子の斜視図である。
【図１７】この発明の一実施形態に係る背凭れの組立方法を説明するための椅子の斜視図である。
【図１８】この発明の一実施形態に係る背凭れの組立方法を説明するためのカバー部材の斜視図である。
【図１９】この発明の一実施形態に係る背凭れの組立方法を説明するための椅子の斜視図である。
【図２０】この発明の一実施形態に係る背凭れの組立方法を説明するための背凭れの背面図である。
【図２１】この発明の一実施形態に係る背凭れの図２０のＸＸＩ−ＸＸＩ断面に対応する断面図である。
【発明を実施するための形態】
【００２１】
以下、この発明の一実施形態を図面に基づいて説明する。なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００２２】
図１は、この実施形態に係る椅子１の右側面を示す図であり、図２は、椅子１の背面を示す図である。また、図３は、椅子１の図２のＩＩ−ＩＩ断面に対応する縦断面図である。
これらの図に示すように、この実施形態に係る椅子１は、フロア上に載置される脚部２と、脚部２の上端に設置されるボックス状の支基３と、支基３の上面側に取り付けられて着座者の臀部を支持する座４と、座４の後方側に配置されて着座者の背部を支持する背凭れ５と、支基３と背凭れ５を連結する背凭れ連結部材である連結ステー６と、座４の下面側の左右の両側部から座４の上方側に延出し、着座者の肘や腕先が載せ置かれる肘掛け７と、を備えている。なお、この実施形態においては、背凭れ５が椅子の荷重支持部材を構成している。また、肘掛け７は、図１，図２以外の図面においては図示を省略されている。
【００２３】
脚部２は、キャスタ９ａ付きの多岐脚９と、多岐脚９の中央部より起立し昇降機構であるガススプリングを内蔵する脚柱１０と、を備え、脚柱１０の上端部に支基３が水平方向に回転可能に取り付けられている。支基３には、脚柱１０の昇降調整機構と背凭れ５の傾動調整機構が内蔵されている。
【００２４】
図４は、図３のＩＶ部を拡大して示した図であり、図５，図６，図７は、図３のＶ−Ｖ断面、ＶＩ−ＶＩ断面、ＶＩＩ−ＶＩＩ断面にそれぞれ対応する断面を示す図である。
背凭れ５は、これらの図にも示すように、着座者の背部から荷重を受ける荷重受け板である背板１１と、背板１１の背部に取り付けられ、着座者の荷重を支持する強度を有する強度部材である背凭れフレーム１２と、背板１１の主に前面側を被覆するカバー部材６０と、を有している。この実施形態においては、背板１１と背凭れフレーム１２が支持部材本体を構成している。なお、カバー部材６０は、図３，図４においては、図示都合上省略されている。
【００２５】
図８は、背凭れ５を連結ステー６と連結した状態でこれらを前部下方側から見た図であり、図９は、背凭れフレーム１２を連結ステー６と連結した状態でこれらを前部下方側から見た図である。また、図１０は、背板１１を後部下方側から見た図であり、図１１は、背凭れ５を後部上方側から見た図、図１２は、背板１１の右側面を示す図、図１３は、連結ステー６を組み付けた背凭れフレーム１２の正面図である。
背板１１は、樹脂材料によって正面視が縦長の略矩形形状に形成されている。また、背板１１は、図１，図３，図１２等に示すように着座者の腰部に対応する位置（下から三分の一程度上方に上がった位置）が最も前方側に膨出するように上下方向に沿って湾曲して形成されている。背板１１は、上縁部１１ａ及び下縁部１１ｂと、左右両側の側縁部１１ｃ，１１ｄを残し、中央領域に所定パターンの複数の長孔９３…が形成されている。背板１１は、この複数の長孔９３…により、着座者の背部から荷重が入力されたときに中央領域の柔軟な変形を許容する。なお、この実施形態においては、背板１１が支持部材本体の略矩形状部を構成している。
【００２６】
背板１１は、図２，図１０，図１１等に示すように略上半部の左右幅が略下半部の左右幅よりも広く形成され、略上半部の左右の側辺は略平行となって形成されている。背板１１の略上半部側の左右の側縁部１１ｃ，１１ｄには、図５，図６，図１０に示すように、後述する背凭れフレーム１２と連結するための上部側の第１係合凹部１３（背受け側嵌合部）と、下部側の第２係止凸部１４（背受け側嵌合部）が一体に設けられている。第１係合凹部１３と第２係止凸部１４は、左右の側縁部１１ｃ，１１ｄの後面側に突出して設けられている。
【００２７】
第１係合凹部１３は、図５に示すように、略Ｃ字状断面が上下方向に所定長さ連続する溝状に形成されている。第１係合凹部１３の溝は後方側に向かって開口している。一方、第２係止凸部１４は、図６に示すように、円形断面部が幅の狭い棒状の支柱部に支持された断面形状に形成され、その断面が上下方向に所定長さ連続している。これらの第１係合凹部１３と第２係止凸部１４とは、後に詳述する背凭れフレーム１２側の第１係止凸部１５（支持部材側嵌合部）と第２係合凹部１６（支持部材側嵌合部）とにそれぞれ嵌合されるようになっている。
【００２８】
また、背板１１の左右の側縁部１１ｃ，１１ｄには、第１係合凹部１３や第２係止凸部１４よりも幅方向外側位置から後方側に向かって緩やかに屈曲し、側面視で、第１係合凹部１３や第２係止凸部１４よりも後方側位置まで延出する遮蔽壁１７が設けられている。この遮蔽壁１７は、後に詳述するように背凭れ５を側方から見たときに、第１係合凹部１３や第２係止凸部１４が外部から見えないように、側部外側から覆い隠すように機能する。
【００２９】
幅方向左右の各遮蔽壁１７は、背板１１の中央領域の上端部よりも下方に離間した位置に設けられている。特に、この実施形態においては、各遮蔽壁１７の上部辺は遮蔽壁１７の椅子後方側の延出方向に向かって下方に傾斜している。背板１１の中央領域の上縁部１１ａと各遮蔽壁１７の上部辺の間は、図１２に示すように側面視で略Ｖ字状の溝が形成されるように離間している。したがって、背板１１の中央領域の上端部は、各遮蔽壁１７の延出端に対してより大きく離間されている。
【００３０】
背板１１の下縁部１１ｂの幅方向の中央部には、図３，図４，図７，図１０等に示すように、後方側に半球状に膨出するボス部１８が一体に形成されている。このボス部１８の前面側には、背板１１の前面側の荷重受け面の一般部に対して凹状に窪む窪み部１９が設けられている。ボス部１８には前後方向に貫通するボルト挿通孔２０が形成され、ボルト挿通孔２０の窪み部１９側に寄った位置にはナット２１が埋設されている。また、背板１１の下縁部１１ｂのうちの窪み部１９の形成される位置は、座４の後面と対向する位置とされている。
【００３１】
背凭れフレーム１２は、図２，図９，図１３等に示すように、正面視が下向きの略五角形状の枠状フレーム部１２Ａと、枠状フレーム部１２Ａの下端から下方に延出した後に前方側に湾曲して延びる連結フレーム部１２Ｂと、を備えている。この実施形態の背凭れフレーム１２においては、図２に示すように、後面視で前方の背板１１の露出する内側開口部９２が枠状フレーム部１２Ａの内側領域に形成されている。
【００３２】
枠状フレーム部１２Ａの左右の側辺１２Ａｃ，１２Ａｄは、相互に略平行となるように上下方向に沿って延出している。この側辺１２Ａｃ，１２Ａｄは、背板１１の略上半部の左右の側縁部１１ｃ，１１ｄの後面に対向して配置される。
枠状フレーム部１２Ａの上辺１２Ａａは、側辺１２Ａｃ，１２Ａｄに連結される左右の端部に対し、中央領域が後方側に凹状に湾曲している。上辺１２Ａａの幅方向の中央領域の後面には、図２，図３等に示すように、ヘッドレストやハンガー等のオプション部材を取り付けるための凹部２２が設けられている。この凹部２２は、オプション部材を用いないときには蓋部材２３によって閉塞されている。
【００３３】
図９に示すように、枠状フレーム部１２Ａの左右の側辺１２Ａｃ，１２Ａｄと連結フレーム部１２Ｂの前面側には、各側辺１２Ａｃ，１２Ａｄから連結フレーム部１２Ｂに連続する一対の外縁リブ２４が突設されている。この外縁リブ２４は、左右の各側辺１２Ａｃ，１２Ａｄと連結フレーム部１２Ｂの底面に対して略直交方向に突出しており、各側辺１２Ａｃ，１２Ａｄから連結フレーム部１２Ｂに亘る領域の強度の向上が図られている。
また、枠状フレーム部１２Ａの左右の側辺１２Ａｃ，１２Ａｄと、各側辺１２Ａｃ，１２Ａｄの下端に連続する傾斜辺１２Ａｅ，１２Ａｆの幅方向内側の端部には、前方側に向かって突出する補強リブである内縁リブ２５（内側遮蔽壁）が連続して形成されている。
【００３４】
枠状フレーム部１２Ａの左右の側辺１２Ａｃ，１２Ａｄの上端側の各前面には、背板１１の側縁部１１ｃ，１１ｄの上部側の第１係合凹部１３に嵌合される第１係止凸部１５が突設され、左右の側辺１２Ａｃ，１２Ａｄの下端側の各前面には、背板１１の側縁部１１ｃ，１１ｄの下部側の第２係止凸部１４に嵌合される第２係合凹部１６が突設されている。
【００３５】
第１係止凸部１５は、図５に示すように、円形断面部が幅の狭い棒状の支柱部に支持された断面形状に形成され、その断面が上下方向に所定長さ連続している。一方、第２係合凹部１６は、図６に示すように、略Ｃ字状断面が上下方向に所定長さ連続する溝状に形成されている。第２係合凹部１６の溝は前方側に向かって開口している。
【００３６】
ここで、図９に示すように、左右の側辺１２Ａｃ，１２Ａｄに形成される外縁リブ２４と内縁リブ２５の上端部には、これらに略直交するように前方側に突出する端部壁２６が一体に連設されている。上方側の第１係止凸部１５の各下端部は端部壁２６の上面と連続して一体に形成されている。
一方、左右の側辺１２Ａｃ，１２Ａｄの下端側に設けられる第２係合凹部１６は、図６，図９に示すように、外縁リブ２４よりも幅方向外方側に配置されている。
【００３７】
枠状フレーム部１２Ａから連結フレーム部１２Ｂの前面側まで延出した一対の外縁リブ２４の間には、連結フレーム部１２Ｂの底壁にも結合された連結ブロック２７が結合されている。この連結ブロック２７は、連結フレーム部１２Ｂの底壁と一対の外縁リブ２４に連結される複数の横リブ（符号省略）と、横リブ間を縦方向に連結する一対の縦リブ（符号省略）とを備えている。連結ブロック２７の幅方向中央領域には、図３，図４，図７等に示すように、連結フレーム部１２Ｂの底壁側との間に後述する連結ステー６の上方延出部４０を収容配置するための収容空間４１が形成されている。また、連結ブロック２７の収容空間４１の前方側には、上下方向に板状に延出する前部支持壁２８が設けられ、連結ブロック２７の収容空間４１の上方側には、連結ステー６の上方延出部４０の上端部が嵌入される貫通孔２９（嵌合係止部）が設けられている。
【００３８】
連結ブロック２７の前部支持壁２８には、図４に示すように、前後方向に貫通する上下一対のボルト挿通孔３０，３１が形成されている。上方側のボルト挿通孔３０には、ナット３２が埋設されている。前部支持壁２８の前面のうちの、下部側のボルト挿通孔３１の延長上位置には、背板１１の下縁部１１ｂのボス部１８が嵌入される半球状の凹部３３が形成されている。
【００３９】
この実施形態の場合、連結フレーム部１２Ｂの下縁の前方側に湾曲して延出する部分は下部支持壁３４を構成し、連結フレーム部１２Ｂの下部支持壁３４と前部支持壁２８の間を連結する部分は連結壁３５を構成している。下部支持壁３４の左右両側には側壁３６，３６が延設され、下部支持壁３４と両側の側壁３６，３６を合わせた断面形状が上方側に開口する略コ字状とされている。この実施形態の場合、下部支持壁３４と両側の側壁３６，３６を合わせた略コ字状断面の上方側の空間部が挿入許容空間３７を構成している。
【００４０】
連結ステー６は、上方側に開口する略コ字状の金属製の前部プレート６Ａと、この前部プレート６Ａの上面に結合された金属製の肉厚の後部片６Ｂと、を備えている。前部プレート６Ａは左右一対の側壁が前方側に向かって延出し、これらの側壁が支基３内に挿入され、支基３内の図示しない傾動機構に連結されている。
【００４１】
後部片６Ｂは、前部プレート６Ａの上面に結合されるベース部４４と、ベース部４４の後端位置から後部斜め上方に鈍角をなして延出する傾斜連結部４５と、傾斜連結部４５の後端位置から上方側に屈曲して延出する前述の上方延出部４０と、を有している。
【００４２】
後部片６Ｂの傾斜連結部４５は、ベース部４４とほぼ同幅に形成されているが、上方延出部４０はベース部４４や傾斜連結部４５に比較して狭い幅に形成されている。そして、上方延出部４０の上端部には、段差状に幅の狭まったガイド突起４６が突設されている。このガイド突起４６は、上方延出部４０が背凭れフレーム１２側の収容空間４１内に収容配置されるときに、連結ブロック２７の上壁の貫通孔２９に嵌入される。こうして、ガイド突起４６が貫通孔２９に嵌入される際には、ガイド突起４６が所定長嵌入されたところで、ガイド突起４６と上方延出部４０の一般部との間の段差部が貫通孔２９の下縁に当接する。
【００４３】
ここで、背凭れフレーム１２の下縁の下部支持壁３４は、図３，図４に示すように、連結ステー６の後方延出部である前部プレート６Ａとベース部４４の下面に沿うように前方に延出し、前部プレート６Ａとベース部４４の下面に当接するようになっている。この実施形態の場合、下部支持壁３４は、下方側から前部プレート６Ａとベース部４４の重ね合わせ部に対して左右２本のボルト４９，４９によって締結固定されている。
【００４４】
背凭れフレーム１２の前部支持壁２８は、図３，図４等に示すように、連結ステー６の上方延出部４０が収容空間４１に収容配置された状態において、当該上方延出部４０の前面に沿って延出している。そして、前部支持壁２８は、上方延出部４０の前面に当接した状態で、上下２本のボルト５０，５１によって上方延出部４０に締結固定されている。上部側のボルト５０は、上方延出部４０の上方側のボルト挿通孔３０に挿入され、そのボルト挿通孔３０に埋設されたナット３２に螺合される。また、下部側のボルト５１は、上方延出部４０の下方側のボルト挿通孔３１と背板１１のボルト挿通孔２０に挿入され、背板１１のボルト挿通孔２０に埋設されたナット２１に螺合される。
【００４５】
なお、背凭れフレーム１２の下縁の後壁のうちの、前部支持壁２８の後面に対向する位置には、ボルト５０，５１の締結作業を行うための作業孔５２が形成されている。作業孔５２は、上下方向に長い楕円状に形成され、背凭れフレーム１２の収容空間４１を通して前部支持壁２８の後面側を椅子１の後方側に開放するようになっている。作業孔５２は、背凭れフレーム１２の下縁の後壁のうちの最も後方側に膨出する部分に形成されている。作業孔５２は、ボルト５０，５１の締結作業を終えた後には、楕円状の閉塞部材５３が嵌合され、その閉塞部材５３によって閉塞される。
【００４６】
また、背凭れフレーム１２の下縁（連結壁３５）の後壁のうちの、作業孔５２の下方位置から下部支持壁３４に連なる領域は、連結ステー６の傾斜連結部４５にほぼ沿う傾斜部３５ａとされている。
【００４７】
背凭れ５は、連結ステー６に組み付ける前に、背凭れフレーム１２の前面側に背板１１を取り付けておく。このとき、最初に背凭れフレーム１２の枠状フレーム部１２Ａの前面上部の第１係止凸部１５に、背板１１の後面上部の対応する第１係合凹部１３を上方から下方にスライドさせつつ嵌合する。この後、背板１１の上下方向略中央の左右の縁部を枠状フレーム部１２Ａの前面に押し付け、背板１１の後面の第２係合凹部１６を、枠状フレーム部１２Ａの前面の第２係止凸部１４に嵌合する。これにより、背板１１の略上半部は背凭れフレーム１２の枠状フレーム部１２Ａに係止される。また、背板１１の下縁部１１ｂは、その後面側の中央に突設された半球状のボス部１８が背凭れフレーム１２の前部支持壁２８の前面の凹部３３に嵌入される。そして、背板１１の下縁部１１ｂは、背凭れ５を連結ステー６に取り付ける際に、上方延出部４０の後面側からボルト５１をボス部１８内のナット２１に螺合することによって背凭れフレーム１２と連結ステー６に共締め固定される。
【００４８】
ところで、背板１１の略上半部側の左右の側縁部１１ｃ，１１ｄに後方側に向かって延設された遮蔽壁１７は、図５，図６，図１１に示すように、背凭れフレーム１２の枠状フレーム部１２Ａの側辺１２Ａｃ，１２Ａｄの外側側面を覆う位置まで延出している。各遮蔽壁１７と枠状フレーム部１２Ａとの間には、上下方向に沿って延出する係止溝６１が形成されている。
【００４９】
図１４は、図５のＸＩＶ部を拡大して示した図である。
図５，図６，図１４等に示すように、遮蔽壁１７の先端部は、枠状フレーム部１２Ａの側辺１２Ａｃ，１２Ａｄの後部面と面一になる位置まで延出している。遮蔽壁１７と枠状フレーム部１２Ａの間に形成される係止溝６１は、図１４に示すように、遮蔽壁１７と枠状フレーム部１２Ａの後部面近くの狭幅部６１ａと、狭幅部６１ａよりも溝底部側に位置され、狭幅部６１ａよりも幅広に形成された拡幅部６１ｂと、有している。各係止溝６１の上端側には、図１１に示すように、上方側に開口する挿入開口６２が形成されている。この実施形態の場合、各係止溝６１の下端側には、上端側の挿入開口６２と同様の開口６３が形成されている。
【００５０】
一方、背板１１を被覆するカバー部材６０は、図２，図４，図５，図６等に示すように、背板１１の前面を被覆する略矩形状の主カバー部６０ａと、主カバー部６０ａの左右の側辺（背板１１の一方の対辺に対応する辺）に延設された一対の側縁被覆部６０ｂ，６０ｂと、主カバー部６０ａの下辺（背板１１の他方の対辺のうちの一辺に対応する辺）に設けられた第１の端縁係止部６０ｃと、主カバー部６０ａの上辺（背板１１の他方の対辺のうちの他辺に対応する辺）に設けられた第２の端縁係止部６０ｄと、を有している。主カバー部６０ａは、上下方向の寸法こそ背板１１の上下方向の寸法よりも若干短いものの、背板１１の前面と略同形状に形成されている。
【００５１】
カバー部材６０の背板１１の前面に重ねられる主カバー部６０ａは、図５，図６，図７に示すように、シート状の樹脂の内部に適宜肉薄のクッション材６４が内装されている。
【００５２】
カバー部材６０の側縁被覆部６０ｂは、背板１１の上半部に対応する領域にのみ形成されており、その延出端には、図５，図６，図１４に示すように、上下方向に延出する丸棒状の芯材６５が埋設されている。この実施形態の場合、側縁被覆部６０ｂのうちの芯材６５の埋設されている延出端部分が、他の部分に比較して肉厚の厚い抜け規制部６６を構成している。側縁被覆部６０ｂは、背板１１の遮蔽壁１７の外側面を覆い、かつ延出端側が遮蔽壁１７と枠状フレーム部１２Ａの間の係止溝６１内に嵌入されている。このとき、側縁被覆部６０ｂの抜け規制部６６は、係止溝６１内の拡幅部６１ｂに配置される。側縁被覆部６０ｂの抜け規制部６６の幅方向の厚みは、係止溝６１の狭幅部６１ａよりも厚く設定されている。したがって、側縁被覆部６０ｂは、抜け規制部６６が係止溝６１内に嵌入されると、狭幅部６１ａを通した係止溝６１からの抜けを規制されることになる。
【００５３】
カバー部材６０の第１の端縁係止部６０ｃは、図２等に示すように、主カバー部６０ａの下端から後方側に折り返され、その折り返された幅方向の側縁部が主カバー部６０ａの側縁部に接合されることにより、主カバー部６０ａの後面上方側に開口する袋状構造とされている。
【００５４】
また、カバー部材６０の第２の端縁係止部６０ｄは、主カバー部６０ａの上端部において、後方側に折り返し可能な構造とされている。第２の端縁係止部６０ｄはシート状の樹脂の内部に剛性のある板状の樹脂芯材６７が埋設され、その樹脂芯材６７の保形性によって後方側への折り曲げ状態が維持されるようになっている。
【００５５】
また、カバー部材６０は、上述のように主カバー部６０ａの上下方向の寸法が背板１１の上下方向の寸法よりも若干短く形成されているため、カバー部材６０を背板１１に装着する前の状態における第１の端縁係止部６０ｃと第２の端縁係止部６０ｄの係止部間長さは、背板１１の上辺と下辺の間の長さ（他方の対辺間の長さ）よりも短く設定されている。また、カバー部材６０の左右の側縁被覆部６０ｂと、これらに隣接する辺に設けられる第１の端縁係止部６０ｃや第２の端縁係止部６０ｄとは連続せずに離間して設けられている。したがって、第１の端縁係止部６０ｃと第２の端縁係止部６０ｄとは、左右の側縁被覆部６０ｂによって強く拘束されることなく、ある程度自由に変形させることができる。
【００５６】
図１５〜図１７と、図１９は、この実施形態に係る椅子１の背凭れ５の組立方法を説明するための斜視図であり、図１８は、カバー部材６０の斜視図、図２０は、背凭れ５の背面図、図２１は、図２０のＸＸＩ−ＸＸＩ断面に対応する断面図である。
つづいて、これらの図を参照して背凭れ５の組立方法について説明する。
【００５７】
まず、背凭れフレーム１２の前面側に背板１１を重ね合わせ、背板１１の上半部側を第１係合凹部１３と第１係止凸部１５、第２係止凸部１４と第２係合凹部１６の各嵌合によって背凭れフレーム１２の枠状フレーム部１２Ａに係止し、さらに背板１１の下半部側を前述したボルト締結によって背凭れフレーム１２の連結フレーム部１２Ｂに締結固定する。
こうして、背板１１が背凭れフレーム１２に結合されると、背板１１の左右の各遮蔽壁１７が枠状フレーム部１２Ａの幅方向の外側に配置され、背板１１と背凭れフレーム１２の間に、背板１１の左右の側辺に沿う一対の係止溝６１が形成される。このとき、係止溝６１の上端部には上方側に開口する挿入開口６２が形成され、係止溝６１の下端部には下方側に開口する開口６３が形成される（図１１参照）。
【００５８】
つづいて、カバー部材６０を用意し、そのカバー部材６０の上方の第２の端縁係止部６０ｄの内部に前述した樹脂芯材６７を挿入して配置する。樹脂芯材６７は、図１８に示すように、第２の端縁係止部６０ｄの裏面に形成されたスリット６８を通して第２の端縁係止部６０ｄの内部に挿入される。
【００５９】
次に、この状態から、図１５に示すように、カバー部材６０の左右の側縁被覆部６０ｂを、背板１１と背凭れフレーム１２の間の左右の係止溝６１に位置合わせし、主カバー部６０ａを背板１１の前面に重ね合せるようにして、背板１１に対してカバー部材６０を下方に移動させる。このとき、カバー部材６０の左右の側縁被覆部６０ｂの延出端側を、上端側の挿入開口６２を通して対応する係止溝６１内にスライドさせて嵌入する。
【００６０】
カバー部材６０は、このとき、図１６に示すように、左右の側縁被覆部６０ｂと対応する係止溝６１との規定の嵌合位置を越えて所定量Ｓだけ下方にオーバーストロークさせる。この実施形態の場合、カバー部材６０の左右の側縁被覆部６０ｂと係止溝６１の延出長さはほぼ同長さであるが、このとき、側縁被覆部６０ｂが下端の開口６３を通して係止溝６１の外側に突き出ることにより、カバー部材６０のオーバーストロークが許容される。こうして、カバー部材６０が背板１１に対して所定量Ｓ下方にオーバーストロークすると、カバー部材６０の下端の第１の端縁係止部６０ｃの袋状部分が背板１１の下端部よりも下方に位置し、その袋状部分が開口を背板１１の下端に対向させるようにして背板１１の下方側に露出する。
【００６１】
この後、カバー部材６０の左右の側縁被覆部６０ｂを対応する係止溝６１内でスライドさせつつカバー部材６０を上方に移動させ、図１７に示すように、カバー部材６０の第１の端縁係止部６０ｃの袋状部分を背板１１の下縁部に嵌合して、カバー部材６０の下端を背板１１の下端に係止させる。このとき、側縁被覆部６０ｂと係止溝６１とは、カバー部材６０の主カバー部６０ａが背板１１の前面にほぼ重なる規定の嵌合位置となる。カバー部材６０の上端側の第２の端縁係止部６０ｄは、このとき折り返されずに上方に平坦に展開した状態となっている。
【００６２】
この後、カバー部材６０の上端部を上方側に引っ張り、カバー部材６０の主カバー部６０ａを微小量引き延ばして主カバー部６０ａに張力を付与した状態において、図１９に示すように、第２の端縁係止部６０ｄを背板１１の上端部で後面側に折り返す。こうして、内部に樹脂芯材６７の埋設された第２の端縁係止部６０ｄが背板１１の後面側に折り返されると、図２０，図２１に示すように、第２の端縁係止部６０ｄに埋設された樹脂芯材６７が背板１１の後面形状に略沿って湾曲し、樹脂芯材６７の弾性によって第２の端縁係止部６０ｄの折り返し状態が保持される。この結果、カバー部材６０の上端部が背板１１の上端部に係止され、カバー部材６０は、主カバー部６０ａが背板１１の前面をほぼ完全に覆った状態で背板１１に固定される。
【００６３】
また、カバー部材６０が背板１１に取り付けられた後に、交換等のためにカバー部材６０を背板１１から取り外す場合には、上述のカバー部材６０の取り付け時とは逆に、最初に、カバー部材６０の上端側の第２の端縁係止部６０ｄを上方側に展開し、カバー部材６０の上端部と背板１１の上端部との係止を外す。
次に、この状態でカバー部材６０の左右の側縁被覆部６０ｂを対応する係止溝６１内でスライドさせつつカバー部材６０を下方に移動させ、カバー部材６０の下端側の第１の端縁係止部６０ｃを背板１１の下端から引き外す。
この後、カバー部材６０の左右の側縁被覆部６０ｂを対応する係止溝６１内でスライドさせつつカバー部材６０を上方に移動させ、左右の側縁被覆部６０ｂを対応する係止溝６１から引き抜く。これにより、カバー部材６０は背板１１から取り外される。
【００６４】
以上のように、この実施形態に係る椅子１の背凭れ５は、カバー部材６０の左右の側縁被覆部６０ｂ，６０ｂが背板１１と背凭れフレーム１２の間の係止溝６１，６１内に嵌入された状態で、カバー部材６０の下端側の第１の端縁係止部６０ｃと上端側の第２の端縁係止部６０ｄが背板１１の下端部と上端部とに折り返された状態で係止されている。このため、カバー部材６０は、左右の側縁被覆部６０ｂ，６０ｂが係止溝６１，６１内に嵌入されることにより、左右方向の位置ずれや脱落が防止され、第１の端縁係止部６０ｃと第２の端縁係止部６０ｄがそれぞれ折り返された状態で背板１１の下端部と上端部に係止されることにより、カバー部材６０の上下方向の位置ずれや挿入開口６２や下端の開口６３方向へのカバー部材６０の移動を規制することができる。
したがって、この実施形態に係る背凭れ５においては、カバー部材６０に不意の外力が作用しても、カバー部材６０の脱落を防止することができる。また、この背凭れ５の場合、カバー部材６０の一対の側縁被覆部６０ｂ，６０ｂが係止溝６１，６１内に嵌入されているため、カバー部材６０が不意の外力を受けて仮に係止溝６１に沿う方向に位置ずれすることがあっても、一対の側縁被覆部６０ｂ，６１ｂが係止溝６１，６１に保持された状態が維持されるため、カバー部材６０が即時に脱落するのを防止することができる。
【００６５】
また、特にこの実施形態に係る椅子においては、カバー部材６０の側縁被覆部６０ｂ，６０ｂの嵌入される一対の係止溝６１，６１が、カバー部材１１と、背凭れフレーム１２の左右の側辺１２Ａｃ，１２Ａｄの対向面の間に形成されているため、係止溝６１，６１をカバー部材１１や背凭れフレーム１２に単独で形成する場合に比較して、カバー部材１１や背凭れフレーム１２の構造を簡素化することができる。したがって、この構造を採用することにより、背凭れ５の製造コストの削減を図ることができる。
【００６６】
また、この実施形態に係る椅子１の背凭れ５は、背板１１と背凭れフレーム１２の間の左右の係止溝６１に対して、挿入開口６２を通してカバー部材６０の左右の側縁被覆部６０ｂを嵌入したり、挿入開口６２を通して係止溝６１内からカバー部材６０の左右の側縁被覆部６０ｂを引き抜いたりすることができるため、カバー部材６０を背板１１に対して容易に脱着することができる。
したがって、この実施形態に係る背凭れ５においては、組立時や取り外し時の作業性を向上させることができる。
【００６７】
また、この実施形態に係る背凭れ５においては、背板１１と背凭れフレーム１２の間の左右の係止溝６１が、狭幅部６１ａと、狭幅部６１ａよりも溝底部側に位置される拡幅部６１ｂと、を有し、カバー部材６０側の側縁被覆部６０ｂに、係止溝６１の狭幅部６１ａよりも幅方向の厚みが厚く拡幅部６１ｂ内に嵌入される抜け規制部６６が設けられている。このため、側縁被覆部６０ｂの抜け規制部６６が係止溝６１の拡幅部６１ｂ内に嵌入されることにより、側縁被覆部６０ｂの係止溝６１からの脱落を確実に防止することができる。さらに、側縁被覆部６０ｂの延出端側の剛性が厚みの厚い抜け規制部６６によって高められるため、装着状態で側縁被覆部６０ｂを安定姿勢に維持することができる。
また、この背凭れ５の場合、カバー部材６０の側縁被覆部６０ｂを係止溝６１内でスライドさせる際には、幅方向の厚みの厚い抜け規制部６６によって側縁被覆部６０ｂの形状が安定しているうえに、抜け規制部６６がガイドとして機能するために、係止溝６１に対する側縁被覆部６０ｂのスライド操作を容易に行うことができる。
【００６８】
さらに、この実施形態に係る背凭れ５では、カバー部材６０の下端側の第１の端縁係止部６０ｃが、主カバー部６０ａの裏面側で袋状を成すように主カバー部６０ａに予め固定されているため、カバー部材６０の取り付け時に、先に、第１の端縁係止部６０ｃの袋状部分を背板１１の下端に係止させておき、その後にカバー部材６０の上端側の第２の端縁係止部６０ｄを折り返して背板１１の上端部に係止させることができる。したがって、この構造を採用することにより、カバー部材６０を背板１１により容易に取り付けることができる。
【００６９】
特に、この実施形態に係る背凭れ５の場合、カバー部材６０を背板１１に装着する前の状態における第１の端縁係止部６０ｃと第２の端縁係止部６０ｄの係止部間長さが、背板１１の上辺と下辺の間の長さよりも短く設定されているため、第１の端縁係止部６０ｃの袋状部分を背板１１の下端に係止させ、その後に第２の端縁係止部６０ｄを折り返して背板１１の上端部に係止させるときに、カバー部材６０を上下に引き延ばしてカバー部材６０に適度な張力を付与することができる。したがって、この構造を採用することにより、カバー部材６０を安定形状に維持することができるとともに、背板１１に対するカバー部材６０の位置ずれも防止することができる。
【００７０】
さらに、この実施形態に係る背凭れ５においては、カバー部材６０の上端側の第２の端縁係止部６０ｄの内部に、ある程度の剛性を持つ樹脂芯材６７が埋設され、第２の端縁係止部６０ｄが背板１１の上端部で折り返されたときに、樹脂芯材６７の弾性によって第２の端縁係止部６０ｄの折り返し形状を保持できるようになっている。このため、この構造を採用することにより、極めて簡単な構造によって第２の端縁係止部６０ｄを背板１１の上端部に係止させることができる。
【００７１】
また、この実施形態の場合、第２の端縁係止部６０ｄの裏面にスリット６８を予め形成しておき、カバー部材６０の取り付け時に、第２の端縁係止部６０ｄのスリット６８を通して第２の端縁係止部６０ｄの内部に樹脂芯材６７を挿入するようにしている。このため、カバー部材６０の本体部をコンパクトに折り畳んで、樹脂芯材６７とともに包装容器に収容することができる。
【００７２】
なお、この発明は上記の実施形態に限定されるものではなく、その要旨を逸脱しない範囲で種々の設計変更が可能である。例えば、上記の実施形態においては、背板１１と背凭れフレーム１２の間に、カバー部材６０の側縁被覆部６０ｂの嵌入される係止溝６１が形成されているが、係止溝は、背板１１と背凭れフレーム１２のいずれか一方に形成するようにしても良い。
また、上記の実施形態では、背凭れが椅子の荷重支持部材を構成しているが、椅子の荷重支持部材は背凭れに限らず、座であっても良い。
【符号の説明】
【００７３】
１１  背板（荷重受け板，略矩形状部，支持部材本体）
１２  背凭れフレーム（強度部材，支持部材本体）
６０  カバー部材
６０ａ  主カバー部
６０ｂ  側縁被覆部
６０ｃ  第１の端縁係止部
６０ｄ  第２の端縁係止部
６１  係止溝
６１ａ  狭幅部
６１ｂ  拡幅部
６２  挿入開口
６６  抜け規制部
【図１】
2015217050.tif 000003
【図２】
2015217050.tif 000004
【図３】
2015217050.tif 000005
【図４】
2015217050.tif 000006
【図５】
2015217050.tif 000007
【図６】
2015217050.tif 000008
【図７】
2015217050.tif 000009
【図８】
2015217050.tif 000010
【図９】
2015217050.tif 000011
【図１０】
2015217050.tif 000012
【図１１】
2015217050.tif 000013
【図１２】
2015217050.tif 000014
【図１３】
2015217050.tif 000015
【図１４】
2015217050.tif 000016
【図１５】
2015217050.tif 000017
【図１６】
2015217050.tif 000018
【図１７】
2015217050.tif 000019
【図１８】
2015217050.tif 000020
【図１９】
2015217050.tif 000021
【図２０】
2015217050.tif 000022
【図２１】
2015217050.tif 000023